(57)【要約】【課題】上蓋を開けてケース本体に敷き込むまでの操作を２アクションという簡単な移動操作で行えるケーシング構造の提供。【解決手段】ガイド溝１７を備えるケース本体１１と、ガイド溝１７を介して案内される支軸部３７を備えてケース本体１１への完全施蓋状態から下面１３ａへの敷き込み状態に至るまでの移動できる上蓋３１とを備え、各支軸部３７は、断面が扇形を呈し、その完全施蓋時に半径方向での一方の側縁辺３８が奥方向に向かって水平に位置する配置関係で形成され、ガイド溝１７は、完全施蓋時に支軸部３７を軸支する扇形溝部１７ａと、該扇形溝部１７ａと連通して１８０度の開蓋角度まで支軸部３７を回り込ませる円曲溝部１７ｂと、該円曲溝部１７ｂと連通してケース本体１１の下面１３ａに敷き込まれるまで上蓋３１を水平方向に案内する水平溝部１７ｃとで形成した。【選択図】図２
2010001060.tif 000002
【特許請求の範囲】
【請求項１】
相互に対向する一側板部と他側板部とに個別に設けられたガイド溝を備えて略方形の平面形状を呈するケース本体と、該ケース本体の前記各ガイド溝を介して各別に案内される支軸部を備えて前記ケース本体の上面への完全施蓋状態から下面への敷き込み状態に至るまでの移動を自在に配設される上蓋とで構成されるケーシング構造において、
上蓋の前記各支軸部は、その軸方向と直交する断面が鈍角を中心角とする扇形を呈し、その完全施蓋時に半径方向での一方の側縁辺が奥方向に向かって水平に位置する配置関係のもとで形成され、
ケース本体の前記ガイド溝は、前記上蓋の完全施蓋時に前記支軸部を軸支する扇形溝部と、該扇形溝部と連通して前記上蓋が１８０度の開蓋角度に至るまで前記支軸部を回り込ませる円曲溝部と、該円曲溝部と連通して前記上蓋が１８０度の開蓋角度のもとでケース本体の前記下面に敷き込まれるに至るまで前記上蓋を水平方向に案内する水平溝部とで形成したことを特徴とするケーシング構造。
【請求項２】
上蓋の前記各支軸部は、その軸方向と直交する断面が中心角１６０度の扇形を呈する請求項１に記載のケーシング構造。
【発明の詳細な説明】
【技術分野】
【０００１】
本発明は、例えば測定器がプローブの収納を可能に一体形成されているケース本体などのように個々の用途に応じて所要の構造を備えているケース本体に対し、その上蓋を簡単な操作で仕舞い勝手もよくして開蓋できる構造を付与して取り付けてなるケーシング構造に関する技術である。
【背景技術】
【０００２】
各種の物品を損傷させたり散逸させることなく安全に収納できるようにしたケーシング構造は、従来より種々のものが既に提案されてきている。
【０００３】
このようなケーシング構造を電気的な特性を測定するための測定器との関連で説明すれば、プローブ収納部を有していない上蓋が付設されているケース内に測定器を収納する第１の従来タイプと、測定器と一体化されたケース本体とプローブ収納部を有していない上蓋とがダブルヒンジ構造のもとで着脱自在に形成されている第２の従来タイプと、測定器と一体に形成されたケース本体に対しプローブ収納部を有する上蓋が着脱自在に取り付けられる第３の従来タイプなどがある。
【０００４】
この場合、第１の従来タイプによれば、測定器がケースと別体であることから、ケースの大きさにとらわれることなく小型化できる利点があり、第２と第３の従来タイプによれば、上蓋を取り外すことができる利点があった。
【０００５】
このうち、第３の従来タイプのケーシング構造は、プローブを収納できる点で本発明と共通しており、例えば測定器と一体に形成されたケース本体に対しプローブ収納部を有する上蓋が着脱自在に取り付けられてその全体が形成されている。
【０００６】
しかし、上記タイプのケーシング構造による場合には、上蓋の内側面を利用してプローブ収納部を形成していることから、プローブのコードを常にベルトで固定しておかなければならず、仕舞い勝手が悪いという不都合があった。
【０００７】
また、上蓋は、ケース本体から取り外すことができるものの、ケース本体とは別体の存在として測定作業中に傍らに置いておかなければならず、作業を妨げる不具合もあった。
【０００８】
さらに、上蓋は、ケース本体１とは異なる軟質材料を用いて形成する必要があるほか、構造も比較的複雑なものとなり、それだけ製品コストを引き上げる難点もあった。
【０００９】
このため、本出願人は、下記特許文献１に示すように、上記各従来タイプとは異なり、上蓋を開けた際に好ましい仕舞い勝手が得られるほか、プローブなどの各種物品も容易に収納でき、かつ、その構造も簡素化させてコスト低減に有効に寄与させることができる汎用性に富むケーシング構造を既に提案している。
【特許文献１】特開２００３−２００９５４号公報
【００１０】
図３は、上記特許文献１中に図４として示されている中途開蓋状態の全体斜視図であり、図４は、上記特許文献１中に図５として示されている要部拡大図である。
【００１１】
これらの図によれば、ケーシング構造は、上面を開口させた物品収納部を有して略方形の平面形状を呈するケース本体１と、該ケース本体１の上面１ａ側への施蓋が可能な上蓋７とで構成されている。
【００１２】
また、ケース本体１の一側板部３と他側板部４との外側面には、上蓋７をケース本体１における底板２側と対面する位置にまで敷き込むことができる略Ｌ字形を呈するガイド溝６が各別に形成されている。
【００１３】
さらに、上蓋７の周側板部８側には、ガイド溝５に案内されて移動する断面が円形を呈する支軸部９が突設されている。このため、上蓋７を開いてケース本体１の底板２の下側に敷き込むためには、まず、上蓋７を支軸部９を介して後方に倒すように９０度以上開きながらガイド溝６の垂直溝部６ａに沿わせて下方へと落とし込み、しかる後にさらに施蓋時の状態から１８０度まで開いた上で、支軸部９を介して上蓋７をガイド溝６の水平溝部６ｂに沿わせて移動させ、ケース本体１の底板２の下側に敷き込むという動作が必要であった。
【発明の開示】
【発明が解決しようとする課題】
【００１４】
しかし、図３および図４に示す上記特許文献１のケーシング構造による場合には、上蓋７を開けてケース本体１の底板２の下に敷き込むまでに、上蓋７を９０度開ける、垂直溝部５ａに沿わせて落とし込む、上蓋７を１８０度まで開ける、水平溝部５ｂに沿わせて移動させる、という４つアクションを伴った移動操作が必要となり、このような一連の開蓋操作が作業的にみて必ずしもスムーズであるとはいえない不都合があった。
【００１５】
本発明は、上記特許文献１のケーシング構造によりもたらされる利便性を踏まえつつ、上蓋を開けてケース本体の底板部の下に敷き込むまでを２つのアクションを伴った移動操作で簡単に行うことができるケーシング構造を提供することを目的とする。
【課題を解決するための手段】
【００１６】
本発明は、上記目的を達成すべくなされたものであり、相互に対向する一側板部と他側板部とに個別に設けられたガイド溝を備えて略方形の平面形状を呈するケース本体と、該ケース本体の前記各ガイド溝を介して各別に案内される支軸部を備えて前記ケース本体の上面への完全施蓋状態から下面への敷き込み状態に至るまでの移動を自在に配設される上蓋とで構成されるケーシング構造において、上蓋の前記各支軸部は、その軸方向と直交する断面が鈍角を中心角とする扇形を呈し、その完全施蓋時に半径方向での一方の側縁辺が奥方向に向かって水平に位置する配置関係のもとで形成され、ケース本体の前記ガイド溝は、前記上蓋の完全施蓋時に前記支軸部を軸支する扇形溝部と、該扇形溝部と連通して前記上蓋が１８０度の開蓋角度に至るまで前記支軸部を回り込ませる円曲溝部と、該円曲溝部と連通して前記上蓋が１８０度の開蓋角度のもとでケース本体の前記下面に敷き込まれるに至るまで前記上蓋を水平方向に案内する水平溝部とで形成したことを最も主要な特徴とする。
【００１７】
この場合、上蓋の前記各支軸部は、その軸方向と直交する断面が中心角１６０度の扇形を呈する形状に形成するのが好ましい。
【発明の効果】
【００１８】
本発明によれば、各支軸部は、その軸方向と直交する断面が鈍角を中心角とする扇形を呈して形成されているので、完全施蓋状態から１８０度の開蓋角度に至るまでの上蓋の開蓋操作をガイド溝の扇形溝部と円曲溝部とを介して各支軸部を移動させる１度のアクションで、上蓋の敷き込み操作をガイド溝の水平溝部に沿わせて各支軸部を水平移動させる１度のアクションでそれぞれ行うことができるので、その操作性を簡素化することができる。
【００１９】
特に、上蓋の各支軸部を内角１６０度の扇形断面形状を付与して形成され、ガイド溝も支軸部の断面形状に対応するように形成されている場合には、開蓋操作と閉蓋操作とをより円滑に行うことができる。
【発明を実施するための最良の形態】
【００２０】
図１は、本発明の一例につき、ケース本体と上蓋とを分解して示す要部斜視図であり、図２は、完全施蓋状態から敷き込み状態に至るまでのケース本体のガイド溝と上蓋の支軸部との位置関係を示す説明図であり、そのうちの（ａ）は、上蓋の完全施蓋時の状態を、（ｂ）は、上蓋が９０度の開蓋角度にある状態を、（ｃ）は、上蓋が１８０度の開蓋角度にあり、敷き込み直前の状態をそれぞれ示す。
【００２１】
これらの図によれば、その全体は、例えば絶縁性のある同じ合成樹脂材を用いるなどして形成された適宜大きさの略方形の平面形状を呈してなるケース本体１１と、該ケース本体１１の上面１２側への施蓋と底板部１３の下面１３ａ側への敷き込みが自在に形成された上蓋３１とで構成されている。
【００２２】
このうち、ケース本体１１は、略方形を呈する底板部１３の略前半部を占める領域側に一体となって配設された測定器２２と、該測定器２２の左右の側面２３と一体となって底板部１３の残余の側縁上に立設された周壁部２５とで形成されている。
【００２３】
このため、ケース本体１１には、底板部１３と測定器２２と周壁部２５とで区画形成されてその上面１２を開口させた物品収納部２６が、測定器２２の後方領域に形成されることになる。
【００２４】
また、ケース本体１１には、底板部１３の側縁上に測定器２２の側面２３と周壁部２５とで囲壁面１４が形成される結果、図示例において左右に位置して相互に対向する一側板部１５と他側板部１６とが確保されることになる。しかも、ケース本体１１の囲壁面１４の奥壁側には、上蓋３１をその施蓋時に下支えするための当接部１４ａが上方に延設されている。
【００２５】
さらに、一側板部１５と他側板部１６との外側面には、上蓋３１をその内側面３１ａがケース本体１１における底板部１３の下面１３ａと対面する位置に至るまで回り込ませて敷き込むことができるガイド溝１７が、始端と終端とが閉止された状態のもとで各別に形成されている。
【００２６】
一方、上蓋３１は、ケース本体１１にあって相互に対向している一側板部１５と他側板部１６との側に回動自在に支持されて上面１２への完全施蓋を可能にして形成されている。
【００２７】
すなわち、上蓋３１は、ケース本体１１の上面１２を確実に覆うに足りる面積を有する天板部３２と、該天板部３２の周縁部３３から垂設されてケース本体１１の周壁面１４と当接する周側板部３４とを備えている。
【００２８】
また、周側板部３４は、左右両側の後方部位をそれぞれやや外方へと張り出させてなる一対の支腕部３５，３５を備えている。これら各支腕部３５の内側面には、一側板部１５の図示しないガイド溝部と他側板部１６のガイド溝１７とのそれぞれに案内させて回り込ませながら上蓋３１を敷き込むために用いられる一対の支軸部３７，３７が相互に向き合う配置関係のもとで突設されている。
【００２９】
この場合、上蓋３１の各支軸部３７は、その軸方向と直交する断面が１６０度を中心角とする扇形を呈し、かつ、その完全施蓋時に半径方向での一方の側縁辺３８が図２（ａ）に示されているように奥方向に向かって水平に位置する配置関係のもとで配設されている。
【００３０】
これに対し、ケース本体１１のガイド溝１７は、上蓋３１の完全施蓋時に支軸部３７を軸支する扇形溝部１７ａと、該扇形溝部１７ａと連通して上蓋が１８０度の開蓋角度に至るまで支軸部３７を回り込ませる円曲溝部１７ｂと、該円曲溝部１７ｂと連通して上蓋が１８０度の開蓋角度のもとでケース本体１１の底板部１３の下面１３ａに敷き込まれるに至るまで上蓋３１を手前に向けて水平方向に案内する水平溝部１７ｃとで形成されている。
【００３１】
次に，上記構成からなる本発明につき、図２を参酌しながらその作用・効果を以下に説明する。
【００３２】
すなわち、ケース本体１１に対し上蓋３１が完全施蓋状態にあるときは、図２（ａ）に示されているように下側に位置する側縁辺３８が奥方向に向かって水平に位置した状態となって、支軸部３７がガイド溝１７における扇形溝部１７ａ内に位置させることができる。
【００３３】
開蓋操作は、上蓋３１を把持して例えば図２（ｂ）に示すように扇形溝部１７ａから、これと連通している円曲溝部１７ｂを介して９０度回転させ、図２（ｃ）に示すように円曲溝部１７ｂから、これと連通している始端側の水平溝部１７ｃを介してさらに９０度回転させることで、開蓋角度が１８０度となる位置にまで１度の回転アクションで上蓋３１を移動させることができる。
【００３４】
つまり、上蓋３１は、ケース本体１１に対しその完全施蓋状態から１８０度の開蓋角度の状態に至るまでを、図２（ａ）〜（ｃ）に示されている一連の動きからも明らかなように、支軸部３７を単に回転させるという操作で行うことができることになる。
【００３５】
また、上蓋３１を敷き込む完全開蓋状態とするためには、図２（ｃ）に示す位置にある上蓋３１をケース本体１１の底板部１３の下面１３ａに上蓋３１の内側面３１ａが対面するように、１度の敷き込みアクションで敷き込むことができる。
【００３６】
つまり、図２（ｃ）に示す位置にある上蓋３１は、その支軸部３７がすでにガイド溝１７における水平溝部１７ｃ内に入り込んだ状態にあり、該水平溝部１７ｃに沿わせて支軸部３７を手前側に単に水平移動させるという操作で行うことができることになる。
【００３７】
以上は、本発明の実施形態を図示例に即して説明したものであり、その具体的な実施の形態例はこれに限定されるものではない。例えば、ケース本体は、一体形成された測定器を備えずに、上面を開口させた物品収納部を少なくともその一部に有して形成された種々の用途に供される汎用タイプのものであってもよい。また、支軸部３７は、その軸方向と直交する断面が１６０度以外の鈍角を中心角とする扇形を呈するものであってもよい。
【図面の簡単な説明】
【００３８】
【図１】本発明の一例につき、ケース本体と上蓋とを分解して示す要部斜視図。
【図２】完全施蓋状態から敷き込み状態に至るまでのケース本体のガイド溝と上蓋の支軸部との位置関係を示す説明図であり、そのうちの（ａ）は、上蓋の完全施蓋時の状態を、（ｂ）は、上蓋が９０度の開蓋角度にある状態を、（ｃ）は、上蓋が１８０度の開蓋角度にあり、敷き込み直前の状態をそれぞれ示す。
【図３】従来例につき中途開蓋状態のもとで示す全体斜視図。
【図４】図３における一点鎖線での囲繞部位についての部分拡大図。
【符号の説明】
【００３９】
１１  ケース本体
１２  上面
１３  底板部
１３ａ  下面
１４  囲壁面
１４ａ当接部
１５  一側板部
１６  他側板部
１７  ガイド溝
１７ａ  扇形溝部
１７ｂ  円曲溝部
１７ｃ  水平溝部
２２  測定器
２３  側面
２５  周壁部
２６  物品収納部
３１  上蓋
３１ａ  内側面
３２  天板部
３３  周縁部
３４  周側板部
３５  支腕部
３７  支軸部
３８  側縁辺
【図１】
2010001060.tif 000003
【図２】
2010001060.tif 000004
【図３】
2010001060.tif 000005
【図４】
2010001060.tif 000006